(57)【要約】【課題】従来の吸盤で吸着して取付ける小物用の載置具は、移動したいときに外しづらく、吸盤が古くなると脱落しやすい欠点があった。また、シンクの縁に掛けて使用するものもあるが、載置部の巾より広い載置物は載置できない構造であった。更に、複数の載置物を載置できるものは横長で、シンクの中で邪魔になる欠点もあった。【解決手段】平面的に構成された基材（１）の下部に、側面から見て一方向に突出した、たわし等を載置する安定的で、両側面に邪魔な立ち上がりのない載置部（２）を形成し、上部に側面から見て前記載置部（２）の反対方向に曲げた引掛け部（３）を形成するとともに、前記引掛け部（３）の先端部に滑り止め材（４）を取り付ける。また、前記載置部（２）を前記基材（１）の上下方向に複数段設けてもよい。【選択図】図１
2006255220.tif 000002
【特許請求の範囲】
【請求項１】
平面的に構成された基材（１）の下部に、側面から見て一方向に突出した、たわし等を載置する安定的で、両側面に邪魔な立ち上がりのない載置部（２）を形成し、上部に側面から見て前記載置部（２）の反対方向に曲げた引掛け部（３）を形成するとともに、前記引掛け部（３）の先端部に滑り止め材（４）を取り付けた小物載置具。
【請求項２】
前記載置部（２）を前記基材（１）の上下方向に複数段設けた請求項１記載の小物載置具。
【発明の詳細な説明】
【技術分野】
【０００１】
この発明は、小物載置具、主として一般家庭の流しまわりで使用する、たわしやスポンジ等の小物を載置する、小物載置具に関するものである。      
【背景技術】
【０００２】
従来の一般家庭で使用する、たわしやスポンジ等の小物を載置する小物載置具（以下、「載置具」と言う）は、シンクの内壁に吸盤で吸着させて使用するものや（例えば特許文献１参照。）、固定金具に引掛けて使用するものがある（例えば、特許文献２参照。）。
また、シンクの縁部に引掛けて使用するものもある（例えば、特許文献３参照。）。
【０００３】
【特許文献１】実開平７−２７４４５号公報
【特許文献２】特開平１１-２９３７３５号公報
【特許文献３】特開平１１-１１３７６４号公報
【発明の開示】
【発明が解決しようとする課題】
【０００４】
以上に述べた特許文献１の載置具では、吸盤でシンクの内壁に吸着させて使用するようになっており、吸盤が古くなり吸着力が低下するとシンクの内壁から脱落しやすく、脱落しないように吸着力を強くすると、一旦取付けると移動したいときに外しづらい欠点があった。また、複数の載置物を載置できるように、横方向に載置部を増設しているため横長になり、シンクの中で邪魔になる欠点もあった。
また、特許文献２の載置具では、シンクの縁に金具を固定し、そこに引掛けて使用する構造になっているため、一旦金具を固定すると掛ける場所を移動できず、金具の代わりに吸盤で取り付けるようにもなっているが、その場合は上記と同様の欠点がある。
更に、特許文献３の載置具では、本発明と同様、シンクの縁部に掛けて使用する構造になっているが、載置部の両側面に立ち上がりがあり、それが邪魔になって載置部の巾より広い載置物は載置できず、また、シンクの縁部以外には掛けられない構造であった。
【０００５】
本発明は、このような従来の技術が有していた問題を解決しようとするものであり、長期間使用しても自然に落下することなく安定して掛けられ、且つ、取外して移動しやすく、また、載置部の巾より広い載置物を安定的に載置でき、かつ、載置部を上下方向に複数段設けることにより、横方向に場所をとらずに複数個の載置物を載置できる載置具を実現することを目的とするものである。  
【課題を解決するための手段】
【０００６】
本発明は、平面的に構成された基材の下部に、側面から見て一方向に突出した、たわし等を載置する安定的で、両側面に邪魔な立ち上がりのない載置部を形成し、上部に側面から見て前記載置部の反対方向に曲げた引掛け部を形成するとともに、前記引掛け部の先端部に滑り止め材を取り付ける。
【０００７】
また、前記基材を長くして前記載置部を上下方向に複数段設けてもよい。
【発明の効果】
【０００８】
上述したように本発明の収納具は、載置部の両側面が開放されているので、載置部の巾より広い載置物を安定的に載置でき、シンクの縁部のみならずシンク周辺にあるいろいろな容器の縁部にも掛けられる。また、滑り止材にかかる荷重方向が、シンクの縁部に垂直に作用するので、載置物の重みがかかると摩擦力も増えて自然に落下することなく、且つ、吸盤を使用していないので取外して移動しやすいという効果を発揮する。
【０００９】
また、載置部を上下方向に複数段設けることにより、横方向の場所を取らずにより多くの載置物を載置できる。    
【発明を実施するための最良の形態】
【００１０】
以下、本発明の最良の実施の形態を、実施例に基づき図面を参照して説明する。
【実施例１】
【００１１】
図１〜８において、１は構成の基本となる基材で、線材を左右平行に並べて平面を成すように形成する。また、基材１を形成する線材は、ステンレス線や鉄線の表面に防錆処理や樹脂コーティングを施したもの、或いは銅線等が考えられる。
【００１２】
２はたわしやスポンジなどの小物を載置する載置部で、上面から見てコの字に曲げた線材を、側面から見て一方向にＶ字型に突出するように基材１の下部に接合したり、基材１を延長して湾曲させて形成する。そうすることにより基材１が成す平面形状に対し、載置部２の両側面が開放され、載置部２の巾より広い載置物７を安定的に載置できるようになっている。
【００１３】
３はシンク５の縁部８或いは周辺にある水きり籠などの容器９の縁部１０に載置具を引掛ける引掛け部で、基材１の上方を側面から見て載置部２とは反対方向に逆Ｕ字型に屈曲させて行き、平行に並んだ左右の線材が先端部材１１で結ばれるように形成する。
【００１４】
そして、先端部材１１の両端部を基材１の幅より少し飛び出させ、そこにゴム或いは軟質樹脂等でできた円管状の滑り止材４を取付けている。
【００１５】
以下上記実施例１の使用方法を図５〜８を用いて説明する。流し台のシンク５の縁部８に掛けて使用するときは、シンク５の縁部８に引掛け部３の滑り止材４が載るようにして掛け、載置部２に載置物７を載置する。また、シンク５の縁部８に掛けると邪魔になるとか、急な勾配があるなどして掛けられないときは、付近に置いてある水きり籠などの容器９の縁部１０に、引掛け部３の逆Ｕ字型の部分がはまり込むように掛けて使用する。
【実施例２】
【００１６】
また、図９に示すように、基材１を長くしてコの字に曲げた線材を上下二段に接合することにより、載置部を２ａ・２ｂと２段にしてもよい。そうすることにより、下段と上段にそれぞれ別の載置物７ａ・７ｂを載置できる。例えば下段の載置部２ａにたわしを載置し、上段の載置部２ｂにスポンジを載置すると使い分けができて便利である。また、載置部は２段に限らず３段以上設けてもよい。このようにすることにより、横方向の場所を取らずにより多くの載置物７を載置できる。
【実施例３】
【００１７】
次に、本発明の引掛け部３の他の例について説明する。図１０に示すように、引掛け部３の先端部材１１を基材１と材質が異なる樹脂や木材等にして、引掛け部３を先端部材１１に埋め込んで結合するようにしてもよい。
【実施例４】
【００１８】
また、図１１に示すように、引掛け部３の先端部材１１をなくし、引掛け部３の先端部を互いに外側に曲げて、そこに滑り止材４を取り付けてもよい。
【実施例５】
【００１９】
更に、図１２に示すように、引掛け部３の先端部材１１をなくし、引掛け部３の先端部をそのまま伸ばして、そこに滑り止材４を取り付けてもよい。この場合は、引掛け部３に取付ける滑り止材４は底付きの円管状になり、その先端部は球状が適切である。
【実施例６】
【００２０】
以上説明した実施例での引掛け部３は全て、基材１の上方を側面から見て載置部２と反対方向に逆Ｕ字型に屈曲して形成されているが、図１３に示すように、基材１の上方を側面から見て載置部２と反対方向に逆Ｌ字型に屈曲させて行き、平行に並んだ左右の線材が先端部材１１で結ばれるように形成してもよい。
【実施例７】
【００２１】
更に、基材１の材料は樹脂を成型したものでもよく、この場合の引掛け部３に取付ける滑り止材４は、図１４に示すように、全体が半円球状或いは側面から見て蒲鉾状が適切である。
【実施例８】
【００２２】
尚、載置部２は図１５に示すように、基材１の下方を側面から見て一方向に先端が顎付きのＬ字型に屈曲して突出させて行き、平行に並んだ左右の線材が中央で結ばれるように形成してもよい。
【図面の簡単な説明】
【００２３】
【図１】本発明に係る実施例１を示す載置具の側面図
【図２】同実施例１を示す載置具の正面図
【図３】同実施例１を示す載置具の平面図
【図４】同実施例１を示す載置具のＡ矢視図
【図５】同実施例１を示す載置具をシンクの縁部に掛けた状態の側面図
【図６】同実施例１を示す載置具を容器の縁部に掛けた状態の側面図
【図７】同実施例１を示す載置具をシンクの縁部に掛け、載置物を載置した状態の側面図
【図８】同実施例１を示す載置具をシンクの縁部に掛け、載置物を載置した状態の正面図
【図９】実施例２を示す載置部を複数設けた載置具の側面図
【図１０】実施例３を示す先端部材の材質が基材と異なる載置具のＡ矢視図
【図１１】実施例４を示す先端部材をなくし、引掛け部の先端部を外側に曲げた載置具のＡ矢視図
【図１２】実施例５を示す先端部材をなくし、引掛け部の先端部をそのまま伸ばした載置具のＡ矢視図
【図１３】実施例６を示す引掛け部を逆Ｌ字型にした載置具の部分側面図
【図１４】実施例７を示す材質を樹脂にしたときの載置具のＡ矢視図
【図１５】実施例８を示す載置部を顎付きＬ字型にした載置具の側面図
【符号の説明】
【００２４】
１    基材
２・２ａ・２ｂ    載置部
３    引掛け部
４    滑り止材
５    シンク
６    内壁
７・７ａ・７ｂ    載置物
８    シンクの縁部
９    容器
１０  容器の縁部
１１  先端部材
【図１】
2006255220.tif 000003
【図２】
2006255220.tif 000004
【図３】
2006255220.tif 000005
【図４】
2006255220.tif 000006
【図５】
2006255220.tif 000007
【図６】
2006255220.tif 000008
【図７】
2006255220.tif 000009
【図８】
2006255220.tif 000010
【図９】
2006255220.tif 000011
【図１０】
2006255220.tif 000012
【図１１】
2006255220.tif 000013
【図１２】
2006255220.tif 000014
【図１３】
2006255220.tif 000015
【図１４】
2006255220.tif 000016
【図１５】
2006255220.tif 000017